(57)【特許請求の範囲】
【請求項１】
ベースガイド上に突設した左右の横規制ガイド壁間を搬送される、幅方向において円弧状に変形可能な幅を有する未加硫の帯状ゴムシート部材からなる帯状シート部材を該横規制ガイド壁間にセンタリングする帯状シート部材のセンタリング方法であって、前記左右の横規制ガイド壁の間隔を前記帯状シート部材の幅より狭く設定し、前記帯状シート部材を前記左右の横規制ガイド壁間で断面凸となる円弧状に変形させながら搬送することにより前記左右の横規制ガイド壁間にセンタリングする帯状シート部材のセンタリング方法。
【請求項２】
前記帯状シート部材をカッターにより左右同幅に切断する前に前記センタリングを行う請求項１に記載の帯状シート部材のセンタリング方法。
【請求項３】
幅方向において円弧状に変形可能な幅を有する未加硫の帯状ゴムシート部材からなる帯状シート部材が搬送されるベースガイド上に左右の横規制ガイド壁を突設し、該左右の横規制ガイド壁の間隔を前記帯状シート部材の幅より狭く設定する一方、前記左右の横規制ガイド壁のガイド面に前記帯状シート部材の両端部を前記ベースガイド側に誘導して押さえる端部押さえガイドを設置し、該端部押さえガイドより前記帯状シート部材搬送方向後方側の前記ベースガイド上の幅方向中央部に、前記帯状シート部材を断面凸となる円弧状に変形させるための凸型ガイドを設けた帯状シート部材のセンタリング装置。
【請求項４】
前記端部押さえガイドの前記ベースガイドと対向する面を、前記帯状シート部材搬送方向後方側が前方側より前記ベースガイドに近接する傾斜面にする一方、横規制ガイド壁側が反横規制ガイド壁側より前記ベースガイドに近接する傾斜面にした請求項３に記載の帯状シート部材のセンタリング装置。
【請求項５】
前記凸型ガイドが、前記帯状シート部材搬送方向に沿って延在し、かつ前記ベースガイドから三角状に突出した凸部を有し、該凸部の帯状シート部材搬送方向前方側の前面が上側を後方側に傾斜させた傾斜面に形成される請求項３または４に記載の帯状シート部材のセンタリング装置。
【請求項６】
前記帯状シート部材のセンタリング装置が、前記帯状シート部材をカッターにより左右同幅に切断する前に設置される請求項３，４または５に記載の帯状シート部材のセンタリング装置。
【発明の詳細な説明】
【０００１】
【発明の属する技術分野】
本発明は、帯状シート部材のセンタリング方法及び装置に関し、更に詳しくは、簡単な構造で幅の異なる帯状シート部材を常に左右の横規制ガイド壁間にセンタリングできるようにした帯状シート部材のセンタリング方法及び装置に関する。
【０００２】
【従来の技術】
例えば、タイヤの製造工程において、ベルト部材の左右のエッジを保護するエッジテープとして使用される幅狭（略３０mm）帯状の未加硫のゴムシート部材を左右に同幅に切断するためにセンタリングする装置がある。このセンタリング装置は、ベースガイド上に突設した左右の横規制ガイド壁を備えている。この左右の横規制ガイド壁の幅が搬送されるゴムシート部材の幅に合わせて調整されており、その横規制ガイド壁間をゴムシート部材を通過させることにより、続く切断工程での切断の際のセンタリングを確保するようにしている。
【０００３】
上述したセンタリング装置によるセンタリング工程は、以下の理由により極めて重要である。即ち、上記ゴムシート部材は、先端側を牽引することにより搬送されるが、切断工程で左右に切断されたゴムシート部材の切断幅が異なると、牽引した際の両者の伸長率の違いにより、幅広に切断されたゴムシート部材は厚ゲージで、幅狭に切断されたゴムシート部材は薄ゲージで、ベルト部材の左右のエッジに巻回して貼り付けられることになる。その結果、ゴムシート部材の貼り付け量が左右で異なるため、タイヤ品質が低下するという問題が生じる。
【０００４】
また、ベルト部材への貼り合わせが行われるまでの搬送経路において、上述した伸長率の違いから、切断された左右のゴムシート部材の使用量に差が生じるため、ゴムシート部材の搬送トラブル発生の原因にもなっていた。そのため、ゴムシート部材を確実にセンタリングして左右同幅に切断することが重要となるのである。
【０００５】
ところで、前工程で製造されてセンタリング装置に供給されてくる帯状のゴムシート部材の幅には、バラツキがしばしば生じることがある。その際には、作業者が左右の横規制ガイド壁の幅をゴムシート部材の幅に合うように微調整したり、あるいは横規制ガイド壁幅自動調整装置を備えているセンタリング装置では、その自動調整装置が左右の横規制ガイド壁の幅の微調整を自動で行うことになる。
【０００６】
しかしながら、前者は作業者がゴムシート部材の幅が変化したのに気づくのが遅れると、その間、左右の横規制ガイド壁間を通過するゴムシート部材が正確にセンタリングされないことになる。他方、後者は常にゴムシート部材をセンタリングすることができる反面、センタリング装置が高価になるという問題があった。
【０００７】
【発明が解決しようとする課題】
本発明の目的は、上述した未加硫の帯状ゴムシート部材からなる帯状シート部材を、幅が変化しても、横規制ガイド壁幅自動調整装置などを備えた高価な装置を用いることなく、簡単な構成で常に左右の横規制ガイド壁間にセンタリングすることが可能な帯状シート部材のセンタリング方法と装置を提供することにある。
【０００８】
【課題を解決するための手段】
上記目的を達成する本発明の帯状シート部材のセンタリング方法は、ベースガイド上に突設した左右の横規制ガイド壁間を搬送される、幅方向において円弧状に変形可能な幅を有する未加硫の帯状ゴムシート部材からなる帯状シート部材を該横規制ガイド壁間にセンタリングする帯状シート部材のセンタリング方法であって、前記左右の横規制ガイド壁の間隔を前記帯状シート部材の幅より狭く設定し、前記帯状シート部材を前記左右の横規制ガイド壁間で断面凸となる円弧状に変形させながら搬送することにより前記左右の横規制ガイド壁間にセンタリングすることを特徴とする。
【０００９】
また、本発明の帯状シート部材のセンタリング装置は、幅方向において円弧状に変形可能な幅を有する未加硫の帯状ゴムシート部材からなる帯状シート部材が搬送されるベースガイド上に左右の横規制ガイド壁を突設し、該左右の横規制ガイド壁の間隔を前記帯状シート部材の幅より狭く設定する一方、前記左右の横規制ガイド壁のガイド面に前記帯状シート部材の両端部を前記ベースガイド側に誘導して押さえる端部押さえガイドを設置し、該端部押さえガイドより前記帯状シート部材搬送方向後方側の前記ベースガイド上の幅方向中央部に、前記帯状シート部材を断面凸となる円弧状に変形させるための凸型ガイドを設けたことを特徴とする。
【００１０】
本発明者によれば、未加硫ゴムは塑性変形する性質を有するが、上述した幅狭（略３０mm）帯状の未加硫のゴムシート部材では、幅方向両端を押圧すると、幅方向において円弧状に変形するという性質を発見した。その知見に基づき、上記幅狭のゴムシート部材など幅方向において円弧状に変形可能な帯状シート部材において、横規制ガイド壁間にセンタリングする上述した装置と方法を発明したのである。
【００１１】
上記構成によれば、ベースガイド上を搬送される帯状シート部材は、帯状シート部材の幅より狭い左右の横規制ガイド壁間に、端部押さえガイドを介して両端部がベースガイド側に位置するように導かれ、次いで凸型ガイドを通過することにより左右の横規制ガイド壁間で断面凸となる円弧状に変形されながら搬送され、これにより帯状シート部材は左右の横規制ガイド壁間でセンタリングされた状態なる。
【００１２】
従って、横規制ガイド壁幅自動調整装置などを備えた高価な装置を用いることなく、簡単な構成で、幅が異なる帯状シート部材であっても常にセンタリングすることが可能になる。
【００１３】
【発明の実施の形態】
以下、本発明の構成について添付の図面を参照しながら詳細に説明する。
【００１４】
図１は、本発明の帯状シート部材のセンタリング装置の一例を示し、このセンタリング装置は、プレート状に形成されたベースガイド１を備えている。ベースガイド１の一方の平面が、搬送される、幅方向において円弧状に変形可能な幅を有する未加硫の帯状ゴムシート部材からなる帯状シート部材Ｓのガイド面１Ａになっている。このガイド面１Ａの中央部には、帯状シート部材Ｓの搬送方向Ｘ後方側に、後述する凸型ガイド６を取り付けるための長孔１Ｘが、帯状シート部材Ｓの搬送方向Ｘに沿ってガイド面１Ａの裏面１Ｂまで貫通するように形成されている。
【００１５】
ガイド面１Ａ上には、帯状シート部材Ｓの幅方向の端部Ｓ１をガイドする左右の横規制ガイド２が突設されている。両横規制ガイド２は、それぞれ図３に示すように断面Ｌ字状に構成され、ベースガイド１のガイド面１Ａにボルト３により固定されたベース板部２Ａに垂直に立設された横規制ガイド壁２Ｂを備えている。左右の横規制ガイド壁２Ｂは、所定の間隔ｗで帯状シート部材Ｓの搬送方向Ｘに沿って延在している。
【００１６】
この左右の横規制ガイド壁２Ｂの間隔ｗは、帯状シート部材Ｓの幅Ｓｗより狭く設定されている。その間隔ｗとしては、好ましくは帯状シート部材Ｓの幅Ｓｗの１〜１０％、より好ましくは４〜６％程度狭くするのがよい。
【００１７】
左右の横規制ガイド壁２Ｂの対向する内側のガイド面２Ｂ１には、それぞれ帯状シート部材Ｓの両端部Ｓ１をベースガイド１側に誘導して押さえる働きをするプレート状の端部押さえガイド４が設置されている。
【００１８】
端部押さえガイド４は、ボルト５によりガイド面２Ｂ１に固定され、ベースガイド１のガイド面１Ａと対向する面４ａが、帯状シート部材Ｓの搬送方向Ｘ後方側を前方側よりベースガイド１のガイド面１Ａに近接させた傾斜面に形成されている。このような傾斜面にすることで、帯状シート部材Ｓの両端部Ｓ１を帯状シート部材Ｓより狭くした左右の横規制ガイド壁２Ｂ間のベースガイド１側に、確実に導き入れるようにしている。
【００１９】
端部押さえガイド４の面４ａは、更に図３に示すように、横規制ガイド壁２Ｂに接する側の方がベースガイド１側まで延び、横規制ガイド壁２Ｂ側が反横規制ガイド壁側よりベースガイド１に近接する傾斜面にもなっており、後述する凸型ガイド６を帯状シート部材Ｓが通過する際に帯状シート部材Ｓを断面凸となる円弧状に変形し易くしている。
【００２０】
ベースガイド１のガイド面１Ａ上の幅方向中央部には、図３に示すように、帯状シート部材Ｓを断面凸となる円弧状に変形させるための凸型ガイド６が設けられている。凸型ガイド６は、帯状シート部材Ｓの搬送方向Ｘに沿って延在する凸型ガイド本体６Ａの両側部に、帯状シート部材Ｓの搬送方向Ｘに沿って延びる鍔部６Ｂを一体的に突設した構造になっている。
【００２１】
凸型ガイド本体６Ａの頭部には、帯状シート部材Ｓの搬送方向Ｘに沿って延在する三角状に突出した凸部６ａを有している。凸部６ａの帯状シート部材Ｓの搬送方向Ｘ前方側の前面６ｘは、上側を後方側に傾斜した傾斜面に形成されており、搬送されてくる帯状シート部材Ｓをベースガイド１側から浮き上がらせて凸状に変形し易くしている。
【００２２】
凸型ガイド６は、ベースガイド１の長孔１Ｘに凸部６ａがガイド面１Ａから突出するように配設され、鍔部６Ｂをベースガイド１の裏面１Ｂにボルト７により固定することにより、ベースガイド１に固設されており、端部押さえガイド４の後端部より帯状シート部材Ｓの搬送方向Ｘ後方側に延在するように取り付けられている。
【００２３】
上述した本発明のセンタリング装置によれば、ベースガイド１上を搬送方向Ｘに搬送される帯状シート部材Ｓは、帯状シート部材Ｓの幅Ｓｗより狭い左右の横規制ガイド壁２Ｂ間に、端部押さえガイド４を介して両端部Ｓ１がベースガイド１側に位置するように導かれる。
【００２４】
次いで、凸型ガイド６上を通過する際に、図３に示すように、凸型ガイド６により帯状シート部材Ｓが左右の横規制ガイド壁２Ｂ間でベースガイド１から浮き上がって断面凸となる円弧状に変形されながら搬送される。これにより帯状シート部材Ｓは、左右の横規制ガイド壁２Ｂ間でセンタリングされた状態で、連設された図２の点線で示す次の切断工程のカッターＣにより左右同幅で切断されるのである。
【００２５】
図４は、上述した帯状シート部材Ｓより幅広の帯状シート部材Ｓ’の例を示している。この例では、帯状シート部材Ｓ’が凸型ガイド６から離間してセンタリングされており、帯状シート部材の幅が異なっても左右の横規制ガイド壁２Ｂ間にセンタリングすることができるのである。
【００２６】
従って、ベースガイド１上に突設した左右の横規制ガイド壁２Ｂ間を搬送される帯状シート部材Ｓを横規制ガイド壁２Ｂ間にセンタリングする際に、横規制ガイド壁幅自動調整装置などの高価な装置を用いることなく、簡単な構成で帯状シート部材の幅が変化しても左右の横規制ガイド壁２Ｂ間に常にセンタリングすることが可能になる。
【００２７】
本発明では、上述した帯状シート部材Ｓとしては、タイヤのベルト部材の左右のエッジを保護するエッジテープとして使用される幅狭（略３０mm）帯状の未加硫のゴムシート部材が好適に用いられる。
【００２８】
【発明の効果】
上述したように本発明は、左右の横規制ガイド壁の間隔を帯状シート部材の幅より狭く設定する一方、左右の横規制ガイド壁のガイド面に帯状シート部材の両端部をベースガイド側に誘導して押さえる端部押さえガイドを設置し、該端部押さえガイドより帯状シート部材搬送方向後方側のベースガイド上の幅方向中央部に帯状シート部材を断面凸となる円弧状に変形させるための凸型ガイドを設け、帯状シート部材を左右の横規制ガイド壁間で断面凸となる円弧状に変形させながら搬送させることにより、左右の横規制ガイド壁間にセンタリングするようにしたので、横規制ガイド壁幅自動調整装置などの高価な装置を用いることなく、帯状シート部材の幅が異なっても左右の横規制ガイド壁間に常にセンタリングすることができる。
【図面の簡単な説明】
【図１】本発明の帯状シート部材のセンタリング装置の一例を示す正面図である。
【図２】図１のＡ−Ａ断面である。
【図３】図１の下方向から見た拡大図である。
【図４】図３の他の例を示す拡大図である。
【符号の説明】
１  ベースガイド                １Ａ  ガイド面
２  横規制ガイド                ２Ｂ  横規制ガイド壁
２Ｂ１  ガイド面                ４  端部押さえガイド
４ａ  面                        ６  凸型ガイド
６ａ  凸部                      Ｓ  帯状シート部材
Ｓ１  端部                      Ｓｗ  幅
Ｘ  搬送方向                    ｗ  間隔
【図１】
0004076340.tif 000002
【図２】
0004076340.tif 000003
【図３】
0004076340.tif 000004
【図４】
0004076340.tif 000005